(57)【要約】　　　（修正有）【課題】外力が加わっても植木鉢が倒れないグリーンテーブルを提供する。【解決手段】グリーンテーブルの天板１に植木鉢３の保持手段である保持穴４を設けて、この保持穴４に植木鉢３を挿着することにより植木鉢３の外周を固定して倒れやズレを防止する。【選択図】　　　図１
0003099173.tif 000002
【実用新案登録請求の範囲】
【請求項１】
植木鉢を載置するグリーンテーブルの天板に植木鉢の外形部を着脱自在に保持する保持穴を穿設したことを特徴とするグリーンテーブル。
【請求項２】
前記保持穴が、天板面に複数個穿設されていることを特徴とする請求項１記載のグリーンテーブル。
【請求項３】
前記グリーンテーブルの天板が、複数段に形成されていることを特徴とする請求項１記載のグリーンテーブル。
【請求項４】
前記グリーンテーブルの各構成要素を組立自在に構成したことを特徴とする請求項１記載のグリーンテーブル。
【考案の詳細な説明】
【０００１】
【考案の属する技術分野】
本考案は、観葉植物或いは植木花などの植木鉢をグリーンテーブルに着脱自在に載置して、一体化したグリーンテーブルに関する。
【０００２】
【従来の技術】
観葉植物或いは植木花などの植木鉢は、緑化時或いは開花時に持ち運べて任意の箇所で、緑や花を観賞できる。また、観葉植物或いは植木花などの植木鉢は、観賞する楽しさの他に無機質な場所では、潤いや癒しを与える効果があるので、家庭のみならず、オフィス内などで各方面で広く利用されている。
【０００３】
従来の植木鉢の配置は、例えば図７に示すように、金属性の枠体２０に２段の棚板１が固定された植木台の天板１上に植木鉢３を載置していた。
【０００４】
【考案が解決しようとする課題】
しかしながら、前記従来のグリーンテーブルによる植物の載置は、鉢が固定されていないため、天板１に単に載置された状態の植木鉢は、その側近を通過する歩行者が触れたり、あるいは屋外では風に吹かれたりするなどの外力が加わると植木鉢が倒れたり、ずれたり、倒壊し易いという問題があった。また、従来の植木棚は合成樹脂製、金属製を問わす重量感に乏しく、見栄えに欠けていた。
【０００５】
よって、本考案は前記問題点に鑑みて考案されたものであり、外力が加わっても植木鉢が倒れたり、ずれたりしない重量感のあるグリーンテーブルの提供を目的とする。
【０００６】
【課題を解決するための手段】
上記目的を達成するため、本考案のグリーンテーブルに係る請求項１は、植木鉢を載置するグリーンテーブルの天板に植木鉢の外形部を着脱自在に保持する保持穴を穿設したことを特徴とする。
【０００７】
請求項２のグリーンテーブルは、前記保持穴が、天板面に複数個穿設されていることを特徴とする。
【０００８】
請求項３のグリーンテーブルは、前記グリーンテーブルの天板が、複数段であることを特徴とする。
【０００９】
請求項４のグリーンテーブルは、前記グリーンテーブルの各構成要素を組立自在に構成したことを特徴とする。
【００１０】
本考案によれば、グリーンテーブルの天板に植木鉢の保持手段として保持穴を設けたことによりこの保持穴に挿着された植木鉢は外周が固定される。このため、グリーンテーブルと一体化して植木鉢に外力が加わっても倒れることがない。また、保持穴に固定された植木鉢は底部が地面から離れて空中に浮いた状態になるので水はけがよく、地面からの虫の侵入を防止することができる。
【００１１】
また、前記保持手段を設けた天板をテーブル本体に対して着脱自在に構成したことにより、植木鉢の大きさや載置する数などに対応して保持し得る各種天板を取り替えてテーブル本体に装着することができる。
【００１２】
更に、グリーンテーブルの天板を複数段に構成することによって、設置する場所に対応して、見栄えを良くすることができる。
【００１３】
さらにまた、構成要素を組み立て自在に構成したことにより、分解して所要空間を圧縮することができ、収納・保管及び搬送を容易にすることができる。
【００１４】
【考案の実施の形態】
以下、本考案の実施の形態を図面に基づいて説明する。
【００１５】
なお、従来例に示した図７の構成と重複する部分には同一符号を付してその説明を省略する。
【００１６】
【考案の実施の形態１】
本実施の形態のグリーンテーブルは、図１及び図２（ａ）（ｂ）に示すように、テーブルを構成する平坦な天板１及び四隅の脚部２が一体構成されておいる。この天板１の植木鉢載置部に、植木鉢３の外形を保持し得る保持手段として１乃至複数の円形状の保持穴４が穿設されている。なお、この保持穴４は、本実施の形態に示す円形状に限らず植木鉢３の外形に対応した各種形状であってもよい、また保持穴４の数や配置位置についても特定するものではない。保持穴４は植木鉢との密着性を高めるために緩やかな矢かなテーパを付けてもよい。
【００１７】
この保持穴４に植木鉢３を装着した状態は、図１及び図２（ｂ）に示すように、植木鉢３の外周が保持穴４に挿着することにより固定される。そして底部は地面から離れて空中に浮いた状態になる。
【００１８】
本実施の形態によれば、グリーンテーブルの天板１に植木鉢３の保持手段である保持穴４を設けたことにより、この保持穴４に挿着された植木鉢３はその外周が固定され、例えばグリーンテーブルの側近を通過する歩行者が植木鉢３に触れたり、あるいは屋外にて風に吹かれたりして外力が加わっても植木鉢３は倒れたりずれたりしない。また植木鉢３は底部が地面から離れて空中に浮いた状態になるので水はけがよく、地面から虫が侵入することも防止できる。
【００１９】
【考案の実施の形態２】
本実施の形態のグリーンテーブルは、図３に示すようにテーブル本体５が側壁を構成する枠体６とその下方に伸びる脚部２とが一体形成されたもので、この枠体６の上端面に保持穴４が設けられた天板１が載置されるように構成されている。なお、図３に示すグリーンテーブルは２段に形成されているが段数は２段に限るものではない。
【００２０】
また、天板１に設けられた保持穴４の形状、数、配置等は前記実施の形態１と同様であるのでその説明を省略する。
【００２１】
本実施の形態によれば、植木鉢３の形状、数、配置等の異なる条件に対応して植木鉢３を装着し得る各種の天板１を取り替えて植木鉢３を挿着することができる。その他の作用効果は前記実施の形態１と同様であるのでその説明を省略する。
【００２２】
【考案の実施の形態３】
本実施の形態のグリーンテーブルは、図４（ａ）示すようにテーブル本体５の枠体７とその下方に伸びる脚部２とが一体構成され、この枠体７の上端面７ａに天板１を載置するように構成されている。そして天板１には、枠体７の中抜き部８に対応した範囲内に図４（ｂ），（ｃ）に示すように１乃至複数個の保持穴が設けられている。また枠体７の外縁４隅部には天板１のズレ止め片９が設けられている。
【００２３】
なお、天板１に設けられた保持穴４の形状、数、配置等は前記実施の形態１と同様であるのでその説明を省略する。
【００２４】
本実施の形態によれば、天板１がズレ止めされている他は前記実施の形態１及び２と同様な作用効果が得られる。
【００２５】
【考案の実施の形態４】
本実施の形態のグリーンテーブルは、図５（ａ）に示すように、テーブル本体５の枠体１０と脚部２とが一体構成され、その枠体１０の上面に枠体７と同様に中抜きされた天板保持枠１１が重ねられたものである。そして天板保持枠１１の中抜き部８の内側にはその形状に対応して挿入し得る図５（ｂ）（ｃ）に示す天板１が装脱可能に構成されている。なお、中抜き部８の４隅における底面には天板１を下方から支える支持片１２が設けられ、天板の脱落が防止されている。
【００２６】
なお、保持穴４の形状、数、配置等は前記実施の形態１と同様であるのでその説明を省略する。
【００２７】
本実施の形態によれば、天板１を天板保持枠１１の中抜き部８内に挿着する構成であるので前記実施の形態１から４における天板１に比べて外形寸法を小さくすることができる他は前記実施の形態１及び２と同様な作用効果が得られる。
【００２８】
【考案の実施の形態５】
本実施の形態のグリーンテーブルは、図６（ａ）（ｂ）に示すように前記実施の形態４の場合と同様に、テーブル本体５の枠体１０と脚部２ｔがと一体構成され、枠体１０の上面に、脚部１３が一体構成された天板１を図（ａ）の２点鎖線にて示すように載置するように構成されたものである。そしてこの天板１にはテーブル本体５側の中抜き部８に対応した範囲内に植木鉢３の保持穴４が設けられている。
【００２９】
本実施の形態によれば、テーブル本体５の面に脚付の天板１を載置する構成にしたことにより複数段に重ねて多段グリーンテーブルとして用いることができる。その他は前記実施の形態１と同様な作用効果が得られる。
【００３０】
以上説明した実施の形態１から５におけるグリーンテーブルは、各部の構成要素を木ねじ等により分解・組み立て可能に構成することができる。
【００３１】
また、それぞれの構成要素の材料としては、木、プラスチック、陶器等を用いることができる。
【００３２】
【考案の効果】
以上説明したように本考案のグリーンテーブルによれば、グリーンテーブルの天板に植木鉢の保持手段として保持穴を設けたことにより、この保持穴に植木鉢を挿着し、固定することができるので、植木鉢に外力が加わっても倒れることがない。また、保持穴に固定された植木鉢は底部が地面から離れて空中に浮いた状態になるので水はけがよく、地面から虫が侵入することを防止することができる。
【００３３】
更に、テーブル本体に対して天板を着脱可能に構成することにより、１個のテーブル本体に対して各種植木鉢の数、配置に対応した天板に取り替えて装着することが可能となる。
【００３４】
また、グリーンテーブルを分解組み立て可能に構成することにより保管及び搬送時のスペースを削減することが可能となる。
【図面の簡単な説明】
【図１】本考案の実施の形態１に係る、グリーンテーブルに植木鉢を挿着した斜視図である。
【図２】（ａ）グリーンテーブルの斜視図である。
（ｂ）保持穴に植木鉢を挿着した部分断面図である。
【図３】（ａ）本考案の実施の形態２に係るグリーンテーブルの斜視図である。
【図４】（ａ）本考案の実施の形態３に係るグリーンテーブル本体の斜視図である。
（ｂ）天板の斜視図である。
（ｃ）天板の斜視図である。
【図５】（ａ）本考案の実施の形態４に係るグリーンテーブル本体の斜視図である。
（ｂ）天板の斜視図である。
（ｃ）天板の斜視図である。
【図６】（ａ）本考案の実施の形態５に係るグリーンテーブル本体の斜視図である。
（ｂ）天板の斜視図である。
【図７】従来のグリーンテーブルの説明図である。
【符号の説明】
１…天板、２，１３…脚部、３…植木鉢、４…保持穴、５…テーブル本体、
６、７、１０…枠体、８…中抜部、９…ずれ止め片、１１…天板保持枠、
１２…天板支持片
【図１】
0003099173.tif 000003
【図２】
0003099173.tif 000004
【図３】
0003099173.tif 000005
【図４】
0003099173.tif 000006
【図５】
0003099173.tif 000007
【図６】
0003099173.tif 000008
【図７】
0003099173.tif 000009